(57)【特許請求の範囲】
【請求項１】
第１の画像メモリに記憶された画像データを画像信号として出力する処理を行う処理装置と、該処理装置から出力された画像信号に基づいて画像を表示する表示装置とを備える画像表示システムにおいて、
前記処理装置は、
画像内の任意の領域の指定を受け付ける手段と、
指定された領域に対応する画像データを第２の画像メモリに記憶する手段と、
第１の画像メモリに記憶された画像データを第１処理により調整する手段と、
第１の画像メモリに記憶されている調整された画像データに、第２の画像メモリに記憶された画像データを重ねた画像データを画像信号として前記表示装置へ出力する手段と、
第１処理の調整を相殺する第２処理により前記表示装置を調整させる命令を示す命令情報を前記表示装置へ送信する手段と
を備え、
前記表示装置は、
前記処理装置から受信した命令情報に基づく第２処理により調整する手段を備える
ことを特徴とする画像表示システム。
【請求項２】
前記処理装置及び表示装置間を接続し、画像信号を伝送する信号線と、
前記処理装置及び表示装置間を接続し、命令情報を伝送する通信線と
を備えることを特徴とする請求項１に記載の画像表示システム。
【請求項３】
画像信号を伝送する信号線及び命令情報を伝送する通信線を包含し、前記処理装置及び表示装置間を接続する複合線を備えることを特徴とする請求項１に記載の画像表示システム。
【請求項４】
前記処理装置及び表示装置間を接続し、画像信号を伝送する信号線を備え、
前記処理装置は、
命令情報を画像信号に重畳する手段を備え、
前記表示装置は、
画像信号に重畳されている命令情報を分離する手段を備える
ことを特徴とする請求項１に記載の画像表示システム。
【請求項５】
前記第１処理は輝度を低くする処理であり、前記第２処理は輝度を高くする処理であることを特徴とする請求項１乃至請求項４のいずれかに記載の画像表示システム。
【請求項６】
第１の画像メモリに記憶された画像データを、画像を表示させる画像信号として表示装置へ出力する処理を行う処理装置において、
画像内の任意の領域の指定を受け付ける手段と、
指定された領域に対応する画像データを第２の画像メモリに記憶する手段と、
第１の画像メモリに記憶された画像データを第１処理により調整する手段と、
第１の画像メモリに記憶されている調整された画像データに、第２の画像メモリに記憶された画像データを重ねた画像データを画像信号として前記表示装置へ出力する手段と、
第１処理の調整を相殺する第２処理により前記表示装置を調整させる命令を示す命令情報を送信する手段と
を備えることを特徴とする処理装置。
【請求項７】
画像信号を伝送する信号線を接続する信号線接続部と、
命令情報を伝送する通信線を接続する通信線接続部と
を備えることを特徴とする請求項６に記載の処理装置。
【請求項８】
画像信号を伝送する信号線及び命令情報を伝送する通信線を包含した複合線を接続する複合線接続部を備えることを特徴とする請求項６に記載の処理装置。
【請求項９】
画像信号を伝送する信号線を接続する信号線接続部と、
命令情報を画像信号に重畳する手段と
を備えることを特徴とする請求項６に記載の処理装置。
【請求項１０】
第１の画像メモリに記憶された画像データを、画像を表示させる画像信号として表示装置へ出力する処理を行うコンピュータに、画像に関する処理をさせるコンピュータプログラムにおいて、
コンピュータに、画像内の任意の領域の指定を受け付けた場合に、指定された領域に対応する画像データを第２の画像メモリに記憶させる手順と、
コンピュータに、第１の画像メモリに記憶された画像データを第１処理により調整させる手順と、
コンピュータに、第１の画像メモリに記憶されている調整された画像データに、第２の画像メモリに記憶された画像データを重ねた画像データを画像信号として前記表示装置へ出力させる手順と、
コンピュータに、第１処理の調整を相殺する第２処理により前記表示装置を調整させる命令を示す命令情報を送信させる手順と
を含むことを特徴とするコンピュータプログラム。
【請求項１１】
第１の画像メモリに記憶された画像データを、画像を表示させる画像信号として表示装置へ出力する処理を行うコンピュータに、画像に関する処理をさせるコンピュータプログラムを記録してある、コンピュータでの読み取りが可能な記録媒体において、
コンピュータに、画像内の任意の領域の指定を受け付けた場合に、指定された領域に対応する画像データを第２の画像メモリに記憶させる手順と、
コンピュータに、第１の画像メモリに記憶された画像データを第１処理により調整させる手順と、
コンピュータに、第１の画像メモリに記憶されている調整された画像データに、第２の画像メモリに記憶された画像データを重ねた画像データを画像信号として前記表示装置へ出力させる手順と、
コンピュータに、第１処理の調整を相殺する第２処理により前記表示装置を調整させる命令を示す命令情報を送信させる手順と
を含むコンピュータプログラムを記録してあることを特徴とするコンピュータでの読み取りが可能な記録媒体。
【発明の詳細な説明】
【０００１】
【発明の属する技術分野】
本発明は、画像信号を出力する処理を行う処理装置と、該処理装置から出力された画像信号に基づいて画像を表示する表示装置とを備える画像表示システム、そのシステムにて用いられる処理装置、その処理装置を実現するためのコンピュータプログラム及びそのプログラムを記録してあるコンピュータでの読み取りが可能な記録媒体に関する。
【０００２】
【従来の技術】
画像信号を出力するコンピュータ等の処理装置と、画像信号に基づいて画像を表示するＣＲＴ等の表示装置とを、画像信号を伝送する信号線にて接続した画像表示システムが広く普及している。
【０００３】
このような画像表示システムにおいて、操作者が画像内の任意の領域を指定した場合に、指定された領域内の画像の輝度を高める等の調整を行うことにより、領域内の画像を強調する機能が注目されており、例えば特開昭５９−１０５４３９号公報、特開平２−３６８４７号公報及び特開平７−４４６９３号公報に、指定された領域内の画像を調整する機能を有する装置が開示されている。
【０００４】
【発明が解決しようとする課題】
しかしながら特開昭５９−１０５４３９号公報、特開平２−３６８４７号公報及び特開平７−４４６９３号公報においては、表示装置と処理装置とが、一体となった装置として示されており、また特殊な画像処理を行う回路を必要とするため、システム全体が高価になるという問題があり、この問題は一般消費者向けのパーソナルコンピュータを用いた画像表示システムに適用し難いという問題に繋がる。
【０００５】
本発明は斯かる事情に鑑みてなされたものであり、ＣＲＴ等の表示装置に接続したパーソナルコンピュータ等の処理装置において、指定された領域外の輝度を低くした画像を表示させる画像信号、例えばアプリケーションソフトウェアレベルの汎用的な処理により、指定された領域の画像データと画像全体の輝度を低くした画像データとを重ねて生成した画像データに基づく画像信号を表示装置へ出力するとともに、画像全体の輝度を高くさせる命令を示す命令情報を表示装置へ送信することで、指定された領域の輝度が高い画像を表示装置から出力させることにより、特殊な画像処理を行う回路を有していない低価格な一般消費者向けのシステムにおいても、指定された領域内の画像を調整して強調することが可能な画像表示システム、そのシステムにて用いられる処理装置、その処理装置を実現するためのコンピュータプログラム及びそのプログラムを記録してあるコンピュータでの読み取りが可能な記録媒体の提供を目的とする。
【０００６】
【課題を解決するための手段】
第１発明に係る画像表示システムは、第１の画像メモリに記憶された画像データを画像信号として出力する処理を行う処理装置と、該処理装置から出力された画像信号に基づいて画像を表示する表示装置とを備える画像表示システムにおいて、前記処理装置は、画像内の任意の領域の指定を受け付ける手段と、指定された領域に対応する画像データを第２の画像メモリに記憶する手段と、第１の画像メモリに記憶された画像データを第１処理により調整する手段と、第１の画像メモリに記憶されている調整された画像データに、第２の画像メモリに記憶された画像データを重ねた画像データを画像信号として前記表示装置へ出力する手段と、第１処理の調整を相殺する第２処理により前記表示装置を調整させる命令を示す命令情報を前記表示装置へ送信する手段とを備え、前記表示装置は、前記処理装置から受信した命令情報に基づく第２処理により調整する手段を備えることを特徴とする。
【０００９】
第１発明に係る画像表示システムでは、パーソナルコンピュータ等の処理装置にて、第１処理により調整した画像データに、指定された領域に対応する画像データを重ねた画像データに基づく画像信号を、ＣＲＴ等の表示装置へ出力するとともに、第２処理により調整させる命令情報を表示装置へ送信し、表示装置にて画像信号に基づく画像を調整して表示することにより、特殊な画像処理を行う回路を有していない低価格な一般消費者向けのシステムにおいても、アプリケーションソフトウェアレベルの汎用的な処理で、指定された領域内の画像を強調することが可能である。
【００１０】
第２発明に係る画像表示システムは、第１発明において、前記処理装置及び表示装置間を接続し、画像信号を伝送する信号線と、前記処理装置及び表示装置間を接続し、命令情報を伝送する通信線とを備えることを特徴とする。
【００１１】
第２発明に係る画像表示システムでは、ＤＩＮ等の規格にて規定された信号線と、ＵＳＢ等の規格にて規定された通信線とで、処理装置及び表示装置を接続することにより、汎用的に行われている処理で容易に通信することが可能である。
【００１２】
第３発明に係る画像表示システムは、第１発明において、画像信号を伝送する信号線及び命令情報を伝送する通信線を包含し、前記処理装置及び表示装置間を接続する複合線を備えることを特徴とする。
【００１３】
第３発明に係る画像表示システムでは、ＤＩＮ等の規格にて規定された画像信号を伝送する信号線及びＵＳＢ等の規格にて規定された命令情報を伝送する通信線を包含した複合線にて、処理装置及び表示装置を接続することにより、汎用的に行われている処理で容易に通信することが可能であり、しかも配線時の取り回しが容易である。
【００１４】
第４発明に係る画像表示システムは、第１発明において、前記処理装置及び表示装置間を接続し、画像信号を伝送する信号線を備え、前記処理装置は、命令情報を画像信号に重畳する手段を備え、前記表示装置は、画像信号に重畳されている命令情報を分離する手段を備えることを特徴とする。
【００１５】
第４発明に係る画像表示システムでは、ＤＩＮ等の規格にて規定された信号線にて処理装置及び表示装置を接続し、信号線を介して画像信号並びに画像信号に重畳した命令情報を伝送することにより、汎用的に行われている処理で容易に通信することが可能であり、表示装置が一般的に備えている信号線以外に新たな配線を行う必要がない。
【００１６】
第５発明に係る画像表示システムは、第１発明乃至第４発明のいずれかにおいて、前記第１処理は輝度を低くする処理であり、前記第２処理は輝度を高くする処理であることを特徴とする。
【００１７】
第５発明に係る画像表示システムでは、指定された領域の画像の輝度を高めることにより、指定された領域を強調し、注視させることが可能である。
【００１８】
第６発明に係る処理装置は、第１の画像メモリに記憶された画像データを、画像を表示させる画像信号として表示装置へ出力する処理を行う処理装置において、画像内の任意の領域の指定を受け付ける手段と、指定された領域に対応する画像データを第２の画像メモリに記憶する手段と、第１の画像メモリに記憶された画像データを第１処理により調整する手段と、第１の画像メモリに記憶されている調整された画像データに、第２の画像メモリに記憶された画像データを重ねた画像データを画像信号として前記表示装置へ出力する手段と、第１処理の調整を相殺する第２処理により前記表示装置を調整させる命令を示す命令情報を送信する手段とを備えることを特徴とする。
【００１９】
第６発明に係る処理装置では、第１処理により調整した画像データに、指定された領域に対応する画像データを重ねた画像データに基づく画像信号を、ＣＲＴ等の表示装置へ出力するとともに、第２処理により調整させる命令情報を表示装置へ送信し、表示装置にて画像信号に基づく画像を調整して表示することにより、特殊な画像処理を行う回路を有していない低価格な処理装置においても、アプリケーションソフトウェアレベルの汎用的な処理で、指定された領域内の画像を調整して強調することが可能である。
【００２０】
第７発明に係る処理装置は、第６発明において、画像信号を伝送する信号線を接続する信号線接続部と、命令情報を伝送する通信線を接続する通信線接続部とを備えることを特徴とする。
【００２１】
第７発明に係る処理装置では、ＤＩＮ等の規格にて規定されたコネクタ等の画像信号を出力する信号線接続部に接続する信号線と、ＵＳＢ等の規格にて規定されたコネクタ等の通信線接続部に接続する通信線とにより、汎用的に行われている処理で容易に通信することが可能である。
【００２２】
第８発明に係る処理装置は、第６発明において、画像信号を伝送する信号線及び命令情報を伝送する通信線を包含した複合線を接続する複合線接続部を備えることを特徴とする。
【００２３】
第８発明に係る処理装置では、ＤＩＮ等の規格にて規定された画像信号を伝送する信号線及びＵＳＢ等の規格にて規定された情報を伝送する通信線を包含した複合線にて表示装置と接続することにより、汎用的に行われている処理で容易に通信することが可能であり、しかも配線時の取り回しが容易である。
【００２４】
第９発明に係る処理装置は、第６発明において、画像信号を伝送する信号線を接続する信号線接続部と、命令情報を画像信号に重畳する手段とを備えることを特徴とする。
【００２５】
第９発明に係る処理装置では、ＤＩＮ等の規格にて規定されたコネクタ等の画像信号を出力する信号線接続部に接続する信号線にて、画像信号並びに画像信号に重畳した命令情報を伝送することにより、汎用的に行われている処理で容易に通信することが可能であり、表示装置が一般的に備えている信号線以外に新たな配線を行う必要がない。
【００２６】
第１０発明に係るコンピュータプログラムは、第１の画像メモリに記憶された画像データを、画像を表示させる画像信号として表示装置へ出力する処理を行うコンピュータに、画像に関する処理をさせるコンピュータプログラムにおいて、コンピュータに、画像内の任意の領域の指定を受け付けた場合に、指定された領域に対応する画像データを第２の画像メモリに記憶させる手順と、コンピュータに、第１の画像メモリに記憶された画像データを第１処理により調整させる手順と、コンピュータに、第１の画像メモリに記憶されている調整された画像データに、第２の画像メモリに記憶された画像データを重ねた画像データを画像信号として前記表示装置へ出力させる手順と、コンピュータに、第１処理の調整を相殺する第２処理により前記表示装置を調整させる命令を示す命令情報を送信させる手順とを含むことを特徴とする。
【００２７】
第１０発明に係るコンピュータプログラムでは、パーソナルコンピュータ等のコンピュータにて実行することにより、コンピュータが処理装置として動作し、第１処理により調整した画像データに、指定された領域に対応する画像データを重ねた画像データに基づく画像信号を、ＣＲＴ等の表示装置へ出力するとともに、第２処理により調整させる命令情報を表示装置へ送信し、表示装置にて画像信号に基づく画像を調整して表示することにより、特殊な画像処理を行う回路を有していない低価格な処理装置においても、アプリケーションソフトウェアレベルの汎用的な処理で、指定された領域内の画像を調整して強調することが可能である。
【００２８】
第１１発明に係るコンピュータでの読み取りが可能な記録媒体は、第１の画像メモリに記憶された画像データを、画像を表示させる画像信号として表示装置へ出力する処理を行うコンピュータに、画像に関する処理をさせるコンピュータプログラムを記録してある、コンピュータでの読み取りが可能な記録媒体において、コンピュータに、画像内の任意の領域の指定を受け付けた場合に、指定された領域に対応する画像データを第２の画像メモリに記憶させる手順と、コンピュータに、第１の画像メモリに記憶された画像データを第１処理により調整させる手順と、コンピュータに、第１の画像メモリに記憶されている調整された画像データに、第２の画像メモリに記憶された画像データを重ねた画像データを画像信号として前記表示装置へ出力させる手順と、コンピュータに、第１処理の調整を相殺する第２処理により前記表示装置を調整させる命令を示す命令情報を送信させる手順とを含むコンピュータプログラムを記録してあることを特徴とする。
【００２９】
第１１発明に係るコンピュータでの読み取りが可能な記録媒体では、記録されているコンピュータプログラムをパーソナルコンピュータ等のコンピュータにて実行することにより、コンピュータが処理装置として動作し、第１処理により調整した画像データに、指定された領域に対応する画像データを重ねた画像データに基づく画像信号を、ＣＲＴ等の表示装置へ出力するとともに、第２処理により調整させる命令情報を表示装置へ送信し、表示装置にて画像信号に基づく画像を調整して表示することにより、特殊な画像処理を行う回路を有していない低価格な処理装置においても、アプリケーションソフトウェアレベルの汎用的な処理で、指定された領域内の画像を調整して強調することが可能である。
【００３０】
【発明の実施の形態】
以下、本発明をその実施の形態を示す図面に基づいて詳述する。
実施の形態１．
図１は本発明の画像表示システムの構成を示すブロック図である。
図１中１０はパーソナルコンピュータ等のコンピュータを用いた本発明の処理装置であり、処理装置１０は、装置全体を制御するＣＰＵ１１、本発明の処理装置用のコンピュータプログラムＰＧ及びデータ等の情報を記録したＣＤ−ＲＯＭ等の記録媒体ＲＥＣから情報を読み取るＣＤ−ＲＯＭドライブ等の補助記憶手段１２、補助記憶手段１２により読み取られたコンピュータプログラムＰＧ及びデータ等の情報を記録するハードディスク等の記録手段１３、情報を一時的に記憶するＲＡＭ１４並びに領域の指定等の入力を行うマウス等の入力手段１５を備えている。
【００３１】
そして記録手段１３から本発明の処理装置用のコンピュータプログラムＰＧ及びデータ等の各種情報を読み取り、ＲＡＭ１４に記憶させてＣＰＵ１１により実行することで、パーソナルコンピュータは本発明の処理装置１０として動作する。
【００３２】
また処理装置１０は、画像データを生成するグラフィックスコントローラ１６１、グラフィックスコントローラ１６１により生成された画像データを記憶する画像メモリ１６２及び画像メモリ１６２に記憶された画像データを画像信号として出力するＤＩＮ等の規格にて規定されたコネクタ等の信号線接続部１６３を有するビデオカード１６を備えている。
なお画像メモリ１６２は、複数の画像を重ねて表示するため、第１画像メモリ１６２ａ及び第２画像メモリ１６２ｂ等の複数の領域を有している。
【００３３】
さらに処理装置１０は、ＵＳＢ等の規格にて規定された通信を制御するＵＳＢコントローラ等の通信制御部１７１及び通信制御部１７１にて制御される通信に用いられるコネクタ等の通信線接続部１７２を有する通信用ボード１７を備えている。
【００３４】
処理装置１０が備える信号線接続部１６３には画像信号を伝送する信号線Ｌ１の一端が、通信線接続部１７２には各種情報を伝送する通信線Ｌ２の一端が夫々接続されており、信号線Ｌ１及び通信線Ｌ２の他端はＣＲＴ及びＬＣＤ等の表示装置２０に接続されている。
【００３５】
表示装置２０は、信号線Ｌ１の他端を接続するコネクタ等の信号線接続部２１を備え、信号線接続部２１から入力された画像信号はビデオ回路２２へ送られ、ビデオ回路２２は画像信号に基づく画像をＣＲＴ等の表示部２３に表示させる。
【００３６】
また表示装置２０は、通信線Ｌ２の他端を接続するコネクタ等の通信線接続部２４１及びＵＳＢコントローラ等の通信制御部２４２を有する通信回路２４を備え、通信線接続部２４１から受信した様々な情報はマイクロコンピュータ等の制御回路２５へ送られ、制御回路２５では受信した情報に基づいて各種処理及びビデオ回路２２の制御を行う。
【００３７】
次に本発明の画像表示システムにおける処理を説明する。
図２は本発明の画像表示システムにて用いられる処理装置１０及び表示装置２０の処理を示すフローチャートである。
初期状態において、処理装置１０は第１画像メモリ１６２ａ（プライマリサーフェス）に記憶されている画像データを画像信号として表示装置２０に出力し、表示装置２０では、処理装置１０から出力された画像信号に基づいて画像を表示している。
処理装置１０を操作する操作者は、入力手段１５を用いて表示装置２０に表示されている画像内の任意の領域を指定する操作を行う。
【００３８】
処理装置１０は、画像内の任意の領域の指定を受け付け（ステップＳ１）、指定された領域に対応する画像データを第２画像メモリ１６２ｂ（オーバレイサーフェス）に記憶する（ステップＳ２）。
そして第１画像メモリ１６２ａに記憶された画像データを、輝度を低くする第１処理により調整し（ステップＳ３）、第１画像メモリ１６２ａに記憶されている輝度を低く調整された画像データに、第２画像メモリ１６２ｂに記憶された画像データを重ねた画像データを生成し、生成した画像データを画像信号として表示装置２０へ信号線Ｌ１を介して出力する（ステップＳ４）。
【００３９】
なお一の画像メモリに記憶されている全体の画像データの内、指定された任意の領域の画像データを一の画像メモリと異なる他の画像メモリに記憶し、夫々の画像メモリに記憶させた画像データを個別に処理した上で、一の画像メモリに記憶している全体の画像データに他の画像メモリに記憶させた指定領域の画像データを重ねるステップＳ２乃至Ｓ４にて示す技術は、「オーバレイ表示」と呼ばれる公知の技術である。
オーバレイ表示は、現在一般的に市販されているビデオカード及び該ビデオカードのオーバレイ表示機能を制御することが可能なコンピュータプログラム、例えばＭｉｃｒｏｓｏｆｔ社のＤｉｒｅｃｔＸを利用することにより容易に実現することが可能であり、アプリケーションソフトウェアレベルの汎用的な処理である。
【００４０】。
またステップＳ３において輝度を低くした第１処理による調整を相殺すべく輝度を高くする第２処理により調整させる命令を示す命令情報を表示装置２０へ通信線Ｌ２を介して送信する（ステップＳ５）。
【００４１】
表示装置２０では、信号線Ｌ１を介して画像信号の入力を受け付け（ステップＳ６）、入力された画像信号をビデオ回路２２へ送る。
【００４２】
また通信線Ｌ２を介して命令情報を受信し（ステップＳ７）、受信した命令情報を制御回路２５へ送り、制御回路２５では、命令情報に基づいて表示装置２０の輝度を高くする第２処理により調整させる制御をビデオ回路２２に対して行う。
【００４３】
そして制御回路２５の制御により命令情報に基づいて画像全体の輝度が高くなるように表示装置２０の画質を調整し（ステップＳ８）、ビデオ回路２２が受け付けた画像信号に基づいて表示すべき画像を表示部２３に表示する（ステップＳ９）。
【００４４】
前述のようにステップＳ３にて下げた輝度レベルを相殺するようにステップＳ８にて輝度を高くするため、指定領域外の輝度は、結果的に変化せず、指定領域内の輝度のみが高く表示される。
【００４５】
なお予め設定されている所定時間経過後、第２画像メモリ１６２ｂに記憶された画像は削除され、またステップＳ１からの処理を再開する。
このようにステップＳ１乃至Ｓ９に示す一連の処理を繰り返すことにより、画像内の任意の点を指示するカーソルの移動等の画像上の変化が生じても、常に指示された領域のみの高輝度表示を維持することが可能である。
【００４６】
次に本発明の表示システムにて用いられる処理装置１０が備える画像メモリ１６２に記憶される画像データの例を説明する。
図３は本発明の処理装置１０が備える画像メモリ１６２に記憶される画像データを概念的に示す説明図である。
図３（ａ）は、初期状態において第１画像メモリ１６２ａに記憶されている画像データを示しており、表示装置２０に表示されるべき画像の画像データが記憶されている。
【００４７】
図３（ｂ）は、画像内の任意の領域の指定を受け付けた状態を示しており、上段が第１画像メモリ１６２ａに記憶されている画像データを示し、下段が第２画像メモリ１６２ｂに記憶されている画像データを示している。
図３（ｂ）は、図２に示すステップＳ２に対応しており、点線にて示す指定された領域の画像データが第１画像メモリ１６２ａから複写され第２画像メモリ１６２ｂに記憶されている。
【００４８】
図３（ｃ）は、第１画像メモリ１６２ａに記憶された画像データを、輝度を低くする第１処理により調整した状態を示しており、上段が第１画像メモリ１６２ａに記憶されている画像データを示し、下段が第２画像メモリ１６２ｂに記憶されている画像データを示している。
図３（ｃ）は、図２に示すステップＳ３に対応しており、第１画像メモリ１６２ａに記憶された画像データが、輝度を低くする第１処理により調整されているが、第２画像メモリ１６２ｂに記憶された画像データについては図３（ｂ）の状態から変化していない。
【００４９】
図３（ｄ）は、第１画像メモリ１６２ａに記憶された画像データの前面に、第２画像メモリ１６２ｂに記憶された画像データを重ねた画像データを示しており、指定された領域の画像データは調整されていない初期状態のままであるが、指定されていない領域の画像データは調整された状態であることを示している。
そして図２に示すステップＳ４に対応する処理により、図３（ｄ）に示す画像データは画像信号として表示装置２０へ送信され、表示装置２０が備える制御回路２５の処理により、画像全体の輝度が高くなるように調整され、結果として指定された領域のみの画像の輝度が高くなった状態で表示される。
【００５０】
次に本発明の表示システムにて用いられる表示装置２０に表示される画像の例を説明する。
図４は本発明の表示装置２０に表示される画像を示す説明図である。
図４（ａ）は、初期状態において表示装置２０に表示される画像を示しており、図４（ｂ）は、操作者が図４（ａ）に示す状態から入力手段１５により任意の領域を指定する操作を行った状態を示している。
【００５１】
図４（ｃ）は、指定されていない領域の画像の輝度を低くした画像信号に基づいて表示されるべき画像を、制御回路２５の処理により画像全体の輝度が高くなるように調整された状態の画像であり、見かけ上、指定された領域の画像のみの輝度が高くなった状態で表示される。
【００５２】
実施の形態２．
実施の形態２は、実施の形態１において、信号線Ｌ１及び通信線Ｌ２を包含する複合線を用いる形態である。
【００５３】
図５は本発明の画像表示システムの構成を示すブロック図である。
図５に示す処理装置１０は、実施の形態１におけるビデオカード１６及び通信用ボード１７の両方の機能を有する複合ボード１８を備えており、複合ボード１８は、信号線接続部１６３及び通信線１７２に相当するコネクタとして複合線接続部１８１を備えている。
【００５４】
処理装置１０が備える複合線接続部１８１には、信号線Ｌ１及び通信線Ｌ２を包含する複合線Ｌ３の一端が接続されており、複合線Ｌ３の他端は、表示装置２０に接続されている。
【００５５】
表示装置２０は、実施の形態１における通信回路２４の機能を備える複合回路２６を備えており、複合回路２６は、信号線接続部２１及び通信線接続部２４１に相当するコネクタとして複合線接続部２６１を備えている。
【００５６】
なお実施の形態２は、信号線Ｌ１及び通信線Ｌ２の代わりに複合線Ｌ３を用いてあればよいため、処理装置１０が備える複合線接続部１８１は、特に専用のコネクタである必要はなく、信号線接続部１６３及び通信線接続部１７２に相当するコネクタが、一本の複合線Ｌ３にて接続することが可能な程度に接近していれば複合線接続部１８１として用いることが可能であり、また複合線接続部１８１として用いることが可能な信号線接続部１６３及び通信線接続部１７２を備えていれば、ビデオカード１６及び通信用ボード１７をそのまま用いることも可能である。
表示装置２０における複合線接続部２６１についても同様の理由により、特に専用のコネクタである必要はない。
【００５７】
なおその他の構成については実施の形態１と同様であるので、同一番号を付し、その説明を省略する。
また処理についても実施の形態１と同様であるので、実施の形態１を参照するものとし、その説明を省略する。
【００５８】
実施の形態３．
実施の形態３は、実施の形態１において、画像信号以外の情報を画像信号に重畳し、信号線Ｌ１により伝送する形態である。
【００５９】
図６は本発明の画像表示システムの構成を示すブロック図である。
図６に示す処理装置１０は、実施の形態１における通信用ボード１７に代替して、ビデオカード１６の機能を有する重畳ボード１９を備えている。
重畳ボード１９は、グラフィックスコントローラ１６１及び画像メモリ１６２を備えており、更に通信を制御する通信制御部１９１を備え、通信制御部１９１の制御により送信される命令情報を画像信号に重畳する回路として重畳部１９２を備えている。
そして重畳部１９２にて命令情報を重畳された画像信号は、信号線接続部１６３へ送られ、信号線Ｌ１を介して表示装置２０へ出力される。
【００６０】
表示装置２０は、信号線Ｌ１を接続する信号線接続部２１を有する分離回路２７を備えており、分離回路２７は、信号線接続部２１から入力された画像信号に、画像信号と異なる命令情報が重畳されている場合に、重畳されている命令情報を画像信号から分離する回路として分離部２７２を備えており、分離部２７２にて分離された命令情報は、通信制御部２７１による制御により制御回路２５へ送られる。
また分離部２７２にて命令情報を分離された画像信号は、ビデオ回路２２へ送られる。
なお画像信号に命令情報が重畳されていない場合、画像信号はそのままビデオ回路２２へ送られる。
【００６１】
なおその他の構成については、実施の形態１と同様であるので、同一番号を付し、その説明を省略する。
また処理についても実施の形態１とほぼ同様であるので、実施の形態１を参照するものとし、その説明を省略するが、命令情報の伝送は、通信線Ｌ２ではなく画像信号に重畳された上で、信号線Ｌ１を介して伝送される。
【００６２】
前記実施の形態１乃至実施の形態３では、第１処理及び第２処理として、輝度を調整する形態を示したが、本発明はこれに限らず、画像に関する他の要素を調整するようにしてもよく、例えば第１処理として青の成分（Ｂ値）の刺激値を低くし、第２処理として青の成分（Ｂ値）の刺激値を高くする処理を行うことにより、指定された領域のみが青みを帯びるという表示を行うことも可能である。
【００６３】
【発明の効果】
以上詳述した如く本発明に係る画像表示システム、処理装置、コンピュータプログラム及び記録媒体では、パーソナルコンピュータ等の処理装置及びＣＲＴディスプレイ等の表示装置間を、画像信号を伝送する信号線及びＵＳＢ等の規格にて規定された通信線にて接続し、処理装置を操作する操作者の操作により画像の任意の領域の指定を受け付けた場合に、画像全体の輝度を低くする等の第１処理により調整した画像データに、指定された領域に対応する画像データを重ねた画像データに基づく画像信号を表示装置へ信号線を介して出力するとともに、第１処理での調整を相殺する第２処理により調整させる命令を示す命令情報を表示装置へ通信線を介して送信することにより、特殊な画像処理を行う回路を有していない低価格な一般消費者向けのシステムにおいても、アプリケーションソフトウェアレベルの汎用的な処理で、指定された領域内の画像のみを強調することが可能である等、優れた効果を奏する。
【図面の簡単な説明】
【図１】本発明の画像表示システムの構成を示すブロック図である。
【図２】本発明の画像表示システムにて用いられる処理装置及び表示装置の処理を示すフローチャートである。
【図３】本発明の処理装置が備える画像メモリに記憶される画像データを概念的に示す説明図である。
【図４】本発明の表示装置に表示される画像を示す説明図である。
【図５】本発明の画像表示システムの構成を示すブロック図である。
【図６】本発明の画像表示システムの構成を示すブロック図である。
【符号の説明】
１０  処理装置
２０  表示装置
Ｌ１  信号線
Ｌ２  通信線
Ｌ３  複合線
ＰＧ  コンピュータプログラム
ＲＥＣ  記録媒体
【図１】
0003819322.tif 000002
【図２】
0003819322.tif 000003
【図３】
0003819322.tif 000004
【図４】
0003819322.tif 000005
【図５】
0003819322.tif 000006
【図６】
0003819322.tif 000007